(57)【要約】【課題】偏光板を保持するガラス基板における面内温度差を低減し、面内の照度ムラを抑制する光変調装置およびプロジェクターを提供する。【解決手段】光変調装置５は、光源装置３０から射出された光束を画像情報に応じて変調する有効画素領域３４２１と有効画素領域３４２１の外側に光束を透過する透過領域３４２３とを有する液晶パネル３４２と、液晶パネル３４２の光射出側に設置される射出側偏光板３４３と射出側偏光板３４３を保持するガラス基板６１とを有する偏光板ユニット６と、を備え、光束の射出側から見て、偏光板外形３４３１は、透過領域３４２３の内側となるように位置する。【選択図】図３
2013105062.tif 000002
【特許請求の範囲】
【請求項１】
光源から射出された光束を画像情報に応じて変調する有効画素領域と当該有効画素領域の外側に前記光束を透過する透過領域とを有する液晶パネルと、
前記液晶パネルの光束射出側に設置される偏光板と当該偏光板を保持するガラス基板とを有する偏光板ユニットと、を備え、
前記光束の射出側から見て、前記偏光板の外形は前記有効画素領域の外側でかつ前記透過領域の内側となるように位置することを特徴とする光変調装置。
【請求項２】
請求項１に記載の光変調装置であって、
前記偏光板の外形と前記ガラス基板の外形とは、略同じ大きさで形成されていることを特徴とする光変調装置。
【請求項３】
請求項１または請求項２に記載の光変調装置であって、
前記偏光板ユニットの光束射出側に設置され、前記透過領域を透過した光束を遮光する遮光部を備えていることを特徴とする光変調装置。
【請求項４】
請求項１〜請求項３のいずれか一項に記載の光変調装置を備え、当該光変調装置で変調された光束を投写することを特徴とするプロジェクター。
【発明の詳細な説明】
【技術分野】
【０００１】
本発明は、光変調装置およびプロジェクターに関する。
【背景技術】
【０００２】
従来、プロジェクターの液晶パネルの光射出側に用いられる射出側偏光板（偏光板ユニット）は、光源からの光（液晶パネルからの射出光）により発熱する。なお、偏光板ユニットは、射出側偏光板と射出側偏光板を保持するガラス基板とで構成されている。
【０００３】
図４は、従来の光変調装置９０（液晶パネル９１と偏光板ユニット９５）を光束入射側から見た要部の外形を模式的に示す正面図である。液晶パネル９１は、光束を変調する有効画素領域９２と、有効画素領域９２の外周に、液晶パネル９１に入射する光束の範囲を規制する見切り９３が構成される。見切り９３の外側は、光を遮光する遮光領域９４となる。また、偏光板ユニット９５は、液晶パネル９１の光射出側に設置される。偏光板ユニット９５は、見切り９３より外形が大きく形成される偏光板としての射出側偏光板９６と、その射出側偏光板９６より外形が大きく形成されるガラス基板９７とで構成される。なお、射出側偏光板９６は、偏光軸方向が垂直方向に対して０度または９０度に設定されている。
【０００４】
このような光変調装置９０に光源から射出された光束が入射した場合、有効画素領域９２に入射した光束は変調されて液晶パネル９１から射出される。また、見切り９３の外側に入射した光束は入射側に反射される。
【０００５】
液晶パネル９１から射出された光束は、射出側偏光板９６に入射する。射出側偏光板９６は、入射した光束のうち、偏光軸方向（図示省略）に沿わない向きの偏光成分を吸収することにより発熱する。この熱がガラス基板９７に伝達されてガラス基板９７も発熱することで、偏光板ユニット９５が発熱する。これにより、プロジェクターから投写された投写画像に照度ムラが発生する。
なお、特許文献１では、このような状態を改善するため、ガラス基板に線膨張係数の絶対値が低いガラス基板を用いることが開示されている。
【先行技術文献】
【特許文献】
【０００６】
【特許文献１】特開２００８−９４５４号公報
【発明の概要】
【発明が解決しようとする課題】
【０００７】
照度ムラが発生する要因として、射出側偏光板９６の偏光軸方向が垂直方向に対して０度あるいは９０度に設定される場合、照度ムラは偏光軸方向に対して±４５度方向の応力成分の影響を受けることが上げられる。詳細には、このような射出側偏光板９６を保持する矩形のガラス基板９５の面内温度において、通常は中心部が最も高温となり、偏光軸方向に対して±４５度方向となる４つの角部が最も低温となる。このような面内温度差により、中心部に対して４つの角部における応力（応力差）が最も大きくなることが要因となっている。
【０００８】
また、射出側偏光板９６は、見切り９３の外形より大きいため、射出側偏光板９６の液晶パネル９１の見切り９３に相対する位置から射出側偏光板９６の外周までの領域は、光束が入射しない領域となる。そのため、ガラス基板９７の面内温度において、光束が入射しない外周の領域では、光束が入射する領域に比較して温度が低くなる。これにより、ガラス基板９７において、中心部に比較して外周部の応力が温度差によって高くなることが照度ムラが発生する要因となっている。よって、中央から最も離れた４つの角部が中心部との温度差が大きく応力が最も大きくなる。
【０００９】
また、特許文献１においては、線膨張係数の絶対値が低いガラス基板を用いても中心部と４つの角部との温度差により照度ムラは程度の差はあるものの発生するという課題がある。
従って、偏光板を保持するガラス基板における面内温度差を低減し、面内の照度ムラを抑制する光変調装置およびプロジェクターが要望されていた。
【課題を解決するための手段】
【００１０】
本発明は、上述した課題の少なくとも一部を解決するためになされたものであり、以下の形態または適用例として実現することが可能である。
【００１１】
［適用例１］本適用例に係る光変調装置は、光源から射出された光束を画像情報に応じて変調する有効画素領域と当該有効画素領域の外側に光束を透過する透過領域とを有する液晶パネルと、液晶パネルの光束射出側に設置される偏光板と偏光板を保持するガラス基板とを有する偏光板ユニットと、を備え、光束の射出側から見て、偏光板の外形は有効画素領域の外側でかつ透過領域の内側となるように位置することを特徴とする。
【００１２】
このような光変調装置によれば、液晶パネルと偏光板ユニットとを備え、液晶パネルは、有効画素領域と透過領域とを有し、偏光板ユニットは、偏光板とガラス基板とを有する。そして、偏光板の外形は、透過領域に相対して位置する。偏光板の外形が透過領域の内側となるように位置することにより、偏光板の外形外の領域まで光束を入射させることができる。これにより、偏光板の全面に光束が入射するため、偏光板の中心部と外周部との温度差は、従来の偏光板の中心部と外周部との温度差に比べて、小さくすることができる。従って、偏光板を保持するガラス基板における面内温度差も従来に比べて低減することができる。そのため、面内の照度ムラを従来に比べて抑制することができる。また、ガラス基板の外形が偏光板の外形と同様に、透過領域に相対して位置する場合には、ガラス基板の外形が透過領域外に位置している場合に比べて面内温度差を低減することができ、面内の照度ムラを抑制することができる。
【００１３】
［適用例２］上記適用例に係る光変調装置において、偏光板の外形とガラス基板の外形とは、略同じ大きさで形成されていることが好ましい。
【００１４】
このような光変調装置によれば、偏光板の外形とガラス基板の外形とが略同じ大きさで形成される場合、ガラス基板の外周部の温度は、偏光板の外形よりガラス基板の外形が大きい場合の外周部の温度に比べて高くなる。これにより、偏光板の外形とガラス基板の外形とが略同じ大きさで形成される場合には、偏光板の外形よりガラス基板の外形が大きい場合に比べてガラス基板の面内温度差を低減することができる。
【００１５】
［適用例３］上記適用例に係る光変調装置において、偏光板ユニットの光束射出側に設置され、透過領域を透過した光束を遮光する遮光部を備えていることが好ましい。
【００１６】
このような光変調装置によれば、液晶パネルの透過領域を透過した光束を遮光部で遮光するため、偏光板の外形より入射する光束の領域が広くても、必要な変調光のみを通過させることができる。
【００１７】
［適用例４］本適用例に係るプロジェクターは、上述したいずれかの光変調装置を備え、光変調装置で変調された光束を投写することを特徴とする。
【００１８】
このようなプロジェクターによれば、投写画像の照度ムラを抑制し、高画質化を図ることができる。
【図面の簡単な説明】
【００１９】
【図１】実施形態に係るプロジェクターの概略構成を模式的に示す図。
【図２】光変調装置の構成を模式的に示す斜視図。
【図３】光変調装置を光束入射側から見た要部の外形を模式的に示す正面図。
【図４】従来の光変調装置を光束入射側から見た要部の外形を模式的に示す正面図。
【発明を実施するための形態】
【００２０】
以下、実施形態を図面に基づいて説明する。
（実施形態）
【００２１】
図１は、実施形態に係るプロジェクター１の概略構成を模式的に示す図である。図１を参照して、本実施形態のプロジェクター１の概略構成を説明する。
本実施形態のプロジェクター１は、光源装置３０（光源３０１）から射出される光束を画像情報に応じて変調してスクリーン（図示省略）等の投写面に拡大投写する装置である。
【００２２】
図１を含む以降の図面では、各構成要素を図面上で認識できる程度の大きさとするため、各構成要素の寸法や比率を実際のものとは適宜異ならせて示している。また、図１〜図３の図面では、説明の便宜上、ＸＹＺ直交座標系で記載する。ＸＹＺ直交座標系は、光源装置３０から射出された光束の進行方向（照明光軸ＯＡに沿う方向）をＹ方向（＋Ｙ方向）とし、Ｙ方向に直交し、画像光が投写される方向（Ｙ方向基端側から見て右方向）をＸ方向（＋Ｘ方向）とする。更に、Ｘ方向およびＹ方向に直交し、かつ、据置き姿勢での上方向をＺ方向（＋Ｚ方向）とする。
【００２３】
図１に示すように、プロジェクター１は、光学ユニット３、制御部（図示省略）、制御部等に電力を供給する電源ユニット（図示省略）、およびプロジェクター１内部を冷却する冷却機構（図示省略）等を備え、これら各装置が外装筺体２内部に収容されている。
【００２４】
光学ユニット３は、制御部による制御に基づき、光源装置３０から射出された光束を光学的に処理して画像情報に応じた画像光を形成して投写するユニットである。光学ユニット３は、光源装置３０、照明光学装置３１、色分離光学装置３２、リレー光学装置３３、電気光学装置３４、およびこれら光学装置３０〜３４を内部に収容すると共に、投写レンズ３５を所定の位置で支持固定する光学部品用筺体３６を備えて構成されている。
【００２５】
光源装置３０は、光源３０１およびリフレクター３０２を備える。光源装置３０は、光源３０１から射出された光束をリフレクター３０２によって射出方向を揃え、照明光軸ＯＡに対して平行化して照明光学装置３１に向けて射出する。照明光軸ＯＡは、光源装置３０から被照明領域側に射出される光束の中心軸である。本実施形態の光源装置３０は、超高圧水銀ランプを採用している。
【００２６】
照明光学装置３１は、第１レンズアレイ３１１と、第２レンズアレイ３１２と、偏光変換素子３１３と、重畳レンズ３１４と、平行化レンズ３１５と、を備えている。第１レンズアレイ３１１は、光源装置３０から射出された光束を部分光束に分割し、照明光軸ＯＡに沿った方向に射出する。第２レンズアレイ３１２は、第１レンズアレイ３１１から射出された部分光束をそれぞれ重畳レンズ３１４に向けて射出する。
【００２７】
偏光変換素子３１３は、第２レンズアレイ３１２から射出されたランダム偏光光となる各部分光束を後述する液晶パネル３４２で利用可能な略１種類の偏光光に揃える機能を有する。なお、第２レンズアレイ３１２から射出され、偏光変換素子３１３によって略１種類の偏光光に変換された各部分光束は、重畳レンズ３１４によって、液晶パネル３４２の表面に略重畳される。なお、重畳レンズ３１４から射出された光束は、平行化レンズ３１５により平行化されて液晶パネル３４２に重畳される。平行化レンズ３１５は、後述する３色の色光毎に設けられている。
【００２８】
色分離光学装置３２は、第１ダイクロイックミラー３２１と、第２ダイクロイックミラー３２２と、反射ミラー３２３と、を備えている。色分離光学装置３２は、照明光学装置３１から射出された光束を、赤色（Ｒ）光、緑色（Ｇ）光、青色（Ｂ）光の３色の色光に分離する。
【００２９】
リレー光学装置３３は、入射側レンズ３３１と、リレーレンズ３３３と、反射ミラー３３２，３３４と、を備えている。リレー光学装置３３は、色分離光学装置３２で分離されたＲ光をＲ光用の液晶パネル３４２Ｒまで導く。なお、本実施形態では、リレー光学装置３３がＲ光を導く構成としているが、これに限定されず、例えば、Ｂ光を導く構成としてもよい。
【００３０】
電気光学装置３４は、色光毎に、入射側偏光板３４１と液晶パネル３４２と射出側偏光板３４３とを備えている。また、電気光学装置３４は、クロスダイクロイックプリズム３４５を備えている。なお、色光に対応して、各部材を示す符号の末尾には、Ｒ光用には「Ｒ」、Ｇ光用には「Ｇ」、Ｂ光用には「Ｂ」を付記している。なお、液晶パネル３４２と射出側偏光板３４３とは、後述する光変調装置５を構成している。これにより、電気光学装置３４は、色光毎に、入射側偏光板３４１と光変調装置５とを備えている。
【００３１】
液晶パネル３４２（３４２Ｒ，３４２Ｇ，３４２Ｂ）は、色分離光学装置３２で色光毎に分離された光束を画像情報に応じて変調する。クロスダイクロイックプリズム３４５は、４つの直角プリズムを貼り合わせた平面視略正方形状を有し、直角プリズム同士を貼り合わせた界面には、２つの誘電体多層膜が形成されている。クロスダイクロイックプリズム３４５は、液晶パネル３４２Ｒ，３４２Ｇ，３４２Ｂで変調された各色光を合成し、投写レンズ３５に射出する。
【００３２】
投写レンズ３５は、複数のレンズを組み合わせた組レンズで構成され、電気光学装置３４で変調され合成された光束をスクリーン等の投写面上に拡大投写する。
【００３３】
図２は、光変調装置５の構成を模式的に示す斜視図である。図３は、光変調装置５を光束入射側から見た要部の外形を模式的に示す正面図である。なお、光変調装置５は、液晶パネル３４２と、偏光板ユニット６と、遮光部としての遮光板７とを有して構成されている。なお、遮光板７は、偏光板ユニット６とクロスダイクロイックプリズム３４５との間に設置される。
【００３４】
光変調装置５は、遮光板７を除き、各色光用に、３つの光変調装置５（Ｒ光用の光変調装置５Ｒ、Ｇ光用の光変調装置５Ｇ、Ｂ光用の光変調装置５Ｂ）を備えている。従って、液晶パネル３４２、偏光板ユニット６も色光毎に３つずつ備えている。ここで、３つの偏光板ユニット６に対して、Ｒ光用の偏光板ユニットを６Ｒ、Ｇ光用の偏光板ユニットを６Ｇ、Ｂ光用の偏光板ユニットを６Ｂとする。
【００３５】
なお、各光変調装置５（５Ｒ，５Ｇ，５Ｂ）の構成はそれぞれ略同様であるため、図２、図３では、説明の便宜上、Ｂ光用の光変調装置５Ｂ（液晶パネル３４２Ｂ、偏光板ユニット６Ｂ、遮光板７）を取り上げて、光変調装置５を説明する。なお、図２では、光変調装置５Ｂに入射側偏光板３４１Ｂを加えた電気光学装置３４（クロスダイクロイックプリズム３４５は省く）の斜視図としている。
【００３６】
図２、図３を参照して、光変調装置５の構成を説明する。なお、色光を表す符号「Ｂ」は適宜省略して説明する。
【００３７】
液晶パネル３４２Ｂ（３４２）は、いわゆる高温ポリシリコンＴＦＴ液晶パネルとして構成されている。液晶パネル３４２は、詳細には、図２に示すように、有効画素領域３４２１を構成する画素電極（図示省略）がマトリクス状に形成されたアクティブマトリクス基板３４２Ｂ１と、対向電極（図示省略）が形成された対向基板３４２Ｂ２と、これらの基板３４２Ｂ１，３４２Ｂ２間に封入、挟持される液晶（図示省略）とから概略構成されている。
【００３８】
また、対向基板３４２Ｂ２には遮光膜（図示省略）が形成される。詳細には、入射側偏光板３４１からの入射光を入射させる矩形の見切り３４２２の内側には遮光膜は形成されず、見切り３４２２から対向基板３４２Ｂ２の外周にわたって遮光膜が形成される。遮光膜が形成される領域では、入射した光束を入射側に反射させる。
【００３９】
なお、有効画素領域３４２１は、入射した光束を変調する領域となる。また、有効画素領域３４２１と見切り３４２２とに挟まれる領域は、入射した光束を透過させる透過領域３４２３となる。図２、図３では、透過領域３４２３を斜線で示している。
【００４０】
図２、図３に示すように、偏光板ユニット６Ｂ（６）は、矩形の外形を有する偏光板（射出側偏光板３４３Ｂ（３４３））と、射出側偏光板３４３Ｂ（３４３）を保持する矩形の外形を有するガラス基板６１とを有して構成される。ここで、射出側偏光板３４３Ｂの外形を３４３１（以降、偏光板外形３４３１と称する）、ガラス基板６１の外形を６１１（以降、ガラス基板外形６１１と称する）とする。本実施形態のガラス基板外形６１１は、偏光板外形３４３１より若干大きく形成されている。
【００４１】
遮光板７は、矩形状の金属板で形成され、中央部には、矩形の開口部７１が形成されている。遮光板７は、開口部７１の外側に入射する光束は入射側に反射させ、開口部７１の内側に入射する光束を通過させて、光射出側に設置されるクロスダイクロイックプリズム３４５に入射させる。
【００４２】
次に、光変調装置５の各部材の外形の大きさに関して説明する。
図３に示すように、液晶パネル３４２には、見切り３４２２が形成され、その内側には有効画素領域３４２１が形成されている。そして、見切り３４２２と有効画素領域３４２１とに挟まれる領域となる透過領域３４２３に相対する位置には、偏光板ユニット６の偏光板外形３４３１とガラス基板外形６１１とが位置する状態となっている。なお、上述したように、ガラス基板外形６１１は、偏光板外形３４３１より若干大きく形成されている。また、遮光板７の開口部７１は、液晶パネル３４２の有効画素領域３４２１と略同様の大きさで形成されている。
【００４３】
次に、光変調装置５の動作に関して説明する。
図２に示すように、液晶パネル３４２の入射側には入射側偏光板３４１が設置される。そして、光源装置３０（図１参照）から射出され、偏光変換素子３１３（図１参照）により偏光方向が揃えられた偏光光Ｌが、入射側偏光板３４１に入射する。そして、入射側偏光板３４１を通過した偏光光Ｌは、液晶パネル３４２に入射する。
【００４４】
液晶パネル３４２に入射した偏光光Ｌのうち、見切り３４２２内側となる有効画素領域３４２１に入射した偏光光Ｌは、変調されて偏光板ユニット６に射出される。また、見切り３４２２内側となる透過領域３４２３に入射した偏光光Ｌは、そのまま透過して偏光板ユニット６に射出される。また、見切り３４２２外側となる反射膜に入射した偏光光Ｌは、遮光膜により入射側に反射される。従って、液晶パネル３４２の見切り３４２２内側となる有効画素領域３４２１と透過領域３４２３とを透過した偏光光Ｌが、偏光板ユニット６に入射する。
【００４５】
なお、偏光板ユニット６の偏光板外形３４３１とガラス基板外形６１１とは、液晶パネル３４２の有効画素領域３４２１より大きく見切り３４２２形状より小さく形成されているため、偏光板ユニット６に入射した偏光光Ｌは、偏光板ユニット６の全面に入射する。そして、偏光光Ｌは、射出側偏光板３４３により、所定の偏光軸方向に沿った方向の偏光光Ｌを透過して射出する。また、偏光板外形３４３１より外側に入射する偏光光Ｌは、一部がガラス基板６１を透過して射出され、ガラス基板外形６１１より外側となる偏光光Ｌはそのまま通過する。
【００４６】
なお、偏光板ユニット６内部を透過、および偏光板ユニット６外側を通過した偏光光Ｌは、光射出側に設置される遮光板７に入射する。遮光板７は、上述したように、液晶パネル３４２の有効画素領域３４２１と略同様の大きさの開口部７１が形成されている。従って、有効画素領域３４２１で変調されて射出側偏光板３４３を透過した偏光光Ｌは、開口部７１の内側に入射して通過する。また、有効画素領域３４２１の外側（透過領域３４２３）を透過してきた偏光光Ｌは、開口部７１より外側に入射することで遮光板７により入射側に反射される。
【００４７】
遮光板７は、必要な偏光光Ｌ（有効画素領域３４２１で変調された変調光）を通過させ、不必要な偏光光Ｌ（有効画素領域３４２１で変調された変調光以外の偏光光Ｌ）は反射させることで通過させない。なお、遮光板７を通過した偏光光Ｌは、光射出側に設置されるクロスダイクロイックプリズム３４５に入射する。
【００４８】
なお、クロスダイクロイックプリズム３４５に入射したＢ光用の偏光光Ｌ（Ｂ光用の変調光）は、上述したＢ光用の光変調装置５Ｂと同様に構成されるＲ光用の光変調装置５ＲとＧ光用の光変調装置５Ｇとから入射するＲ光用の偏光光Ｌ（Ｒ光用の変調光）とＧ光用の偏光光Ｌ（Ｇ光用の変調光）とにより、合成されて画像光を形成する。
【００４９】
次に、偏光板ユニット６における発熱に関して説明する。
射出側偏光板３４３に入射する光束は中心部の密度が高いため、射出側偏光板３４３の中心部の発熱量が周りに比較して高くなる。また、射出側偏光板３４３は、偏光軸（図示省略）が垂直方向（Ｚ方向）に略一致させて設置されていることにより、偏光軸に対して±４５度方向となる４つの角部が最も発熱量が低くなる。
【００５０】
なお、射出側偏光板３４３には、液晶パネル３４２の有効画素領域３４２１と透過領域３４２３を透過した偏光光Ｌが全面にわたって入射する。詳細には、射出側偏光板３４３の４つの角部を含めた外周部には、透過領域３４２３を透過した偏光光Ｌが入射する。また、射出側偏光板３４３の熱が伝達されるガラス基板６１の外周部にも透過領域３４２３を透過した偏光光Ｌが入射する。
【００５１】
これにより、射出側偏光板３４３およびガラス基板６１の４つの角部を含めた外周部は、透過領域３４２３を透過した偏光光Ｌにより発熱する。従って、射出側偏光板３４３およびガラス基板６１の中心部と外周部との温度差を小さくすることができる。言い換えると、ガラス基板６１の面内温度において、中心部と外周部との温度差を低減することができる。
【００５２】
上述した実施形態によれば、以下の効果が得られる。
【００５３】
本実施形態の光変調装置５によれば、液晶パネル３４２と偏光板ユニット６とを備え、液晶パネル３４２は、有効画素領域３４２１と透過領域３４２３とを有し、偏光板ユニット６は、射出側偏光板３４３とガラス基板６１とを有する。そして、偏光板外形３４３１とガラス基板外形６１１は、透過領域３４２３に相対する位置に設置されている。これにより、偏光板外形３４３１の外側の領域まで光束を入射させることができる。これにより、射出側偏光板３４３とガラス基板６１は光束が全面に入射するため、射出側偏光板３４３とガラス基板６１の中心部と４つの角部を含む外周部との温度差は、従来（図４参照）の射出側偏光板９６およびガラス基板９７の中心部と外周部との温度差に比べて、低減することができる。従って、ガラス基板６１における面内温度差を従来に比べて低減することができ、面内の照度ムラを従来に比べて抑制し、コントラスト性能を維持することができる。
【００５４】
本実施形態の光変調装置５によれば、偏光板ユニット６の光射出側に設置され、液晶パネル３４２の有効画素領域３４２１で変調された変調光以外の光束を遮光する遮光板７を備えているため、透過領域３４２３を設けて、偏光板外形３４３１に比べて入射する光束の領域が広くなり、偏光板ユニット６からのいわゆる漏れ光があっても、有効画素領域３４２１を透過した光のみを通過させることができる。従って、必要な変調光だけを通過させることで、漏れ光が投影されるのを抑制することができる。
【００５５】
本実施形態のプロジェクター１によれば、上述した光変調装置５を備えることにより、投写画像の照度ムラを抑制すると共に、コントラスト低下を抑制し、高画質化を図ることができる。また、光源装置３０を高輝度化した場合にも好適に適用できる。
【００５６】
なお、上述した実施形態に限定されず、その要旨を逸脱しない範囲において種々の変更や改良等を加えて実施することが可能である。変形例を以下に述べる。
【００５７】
前記実施形態の光変調装置５において、射出側偏光板３４３（偏光板外形３４３１）とガラス基板６１（ガラス基板外形６１１）との双方が、透過領域３４２３に相対する位置に設置されている。しかし、これに限られず、射出側偏光板３４３（偏光板外形３４３１）が透過領域３４２３に相対する位置に設置され、ガラス基板６１（ガラス基板外形６１１）が透過領域３４２３の外側に相対する位置に設置されていてもよい。この構成によると、ガラス基板６１の外周部に光束が入射しないため、前記実施形態のガラス基板６１の外周部に比べて発熱量が少なくなる。そのため、前記実施形態でのガラス基板６１における面内温度差と比べた場合には高くなるが、従来と比べた場合には、面内温度差を低減することができ、面内の照度ムラを抑制することができる。
【００５８】
前記実施形態の光変調装置５において、ガラス基板外形６１１は、偏光板外形３４３１より若干大きく形成されている。しかし、これに限られず、ガラス基板外形６１１は、偏光板外形３４３１と略同じ大きさで形成されていてもよい。これによると、ガラス基板６１の外周部の温度は、偏光板外形３４３１よりガラス基板外形６１１が大きい場合の外周部の温度に比べて高くなる。これにより、偏光板外形３４３１とガラス基板外形６１１とが略同じ大きさで形成されている場合には、偏光板外形３４３１よりガラス基板外形６１１が大きい場合に比べてガラス基板６１の面内温度差を低減することができ、面内の照度ムラを抑制することができる。
【００５９】
前記実施形態の光変調装置５は、Ｂ光用の光変調装置５Ｂを取り上げて説明したが、Ｒ光用の光変調装置５Ｒ、Ｇ光用の光変調装置５Ｇに対しても同様に適用できる。また、前記実施形態の偏光板ユニット６としてＢ光用の偏光板ユニット６Ｂを取り上げて説明したが、Ｒ光用の偏光板ユニット６Ｒや、Ｇ光用の偏光板ユニット６Ｇに対しても同様に適用できる。
【００６０】
前記実施形態の偏光板ユニット６は、偏光板として射出側偏光板３４３に適用しているが、これに限られず、入射側偏光板３４１に対しても適用できる。
【００６１】
前記実施形態のプロジェクター１は、Ｒ光、Ｇ光、Ｂ光に対応する３つの液晶パネル３４２を用いる、いわゆる３板方式を採用している。しかし、これに限られず、単板方式の液晶パネルを採用してもよい。また、コントラストを向上させるための液晶パネルを追加して採用してもよい。
【００６２】
前記実施形態の光源装置３０は、超高圧水銀ランプを採用しているが、これに限られず、高輝度発光する種々の放電型のランプを採用することができ、例えば、メタルハライドランプや高圧水銀ランプ等を採用することができる。また、これに限られず、光源装置３０は、ＬＥＤ（Light Emitting Diode）、有機ＥＬ（Electro Luminescence）素子、シリコン発光素子等の各種固体発光素子を採用してもよい。
【符号の説明】
【００６３】
１…プロジェクター、５…光変調装置、６…偏光板ユニット、７…遮光板、６１…ガラス基板、７１…開口部、３４２…液晶パネル、３４３…射出側偏光板、６１１…ガラス基板外形、３４２１…有効画素領域、３４２３…透過領域、３４３１…偏光板外形。
【図１】
2013105062.tif 000003
【図２】
2013105062.tif 000004
【図３】
2013105062.tif 000005
【図４】
2013105062.tif 000006